(57)【要約】【課題】口出し線と出力端子の接続作業を改善して口出し線のたるみを防止しながら、口出し部の防水性能を確保できる出力端子付き電動機を提供する。【解決手段】外側にツバ部１ａを有する防水構造の出力端子１と、ツバ部１ａと電動機本体６間の隙間を確保する中空のスペーサ３とを備え、スペーサ３は、一方を１８０°回転させることで、外壁の高さが低くなるように２分割され、口出し線２と出力端子１との接続作業を容易化し、出力端子１のツバ部１ａとスペーサ３間、スペーサ３の分割面、スペーサ３と電動機本体６間にパッキン４を設け、スペーサ３を介して出力端子１を電動機本体６にネジ固定する。【選択図】図１
2008154310.tif 000002
【特許請求の範囲】
【請求項１】
口出し線を介して固定子巻線を接続した出力端子を電動機本体にネジ固定する電動機において、外側にツバ部を有する防水構造の出力端子と、前記ツバ部と電動機本体間の隙間を確保する中空のスペーサとを備え、外壁を斜めに２つに分割した前記スペーサを介して前記出力端子を電動機本体にネジ固定することを特徴とする出力端子付き電動機。
【請求項２】
前記スペーサの分割は、一方を１８０°回転させることで、外壁の高さが低くなり、口出し線と出力端子との接続作業を容易にする請求項１に記載の出力端子付き電動機。
【請求項３】
前記出力端子のツバ部とスペーサ間、スペーサの分割面、スペーサと電動機間にパッキンを設けた請求項１または請求項２に記載の出力端子付き電動機。
【請求項４】
前記パッキンの少なくとも一つを液状シリコンにした請求項３に記載の出力端子付き電動機。
【請求項５】
前記出力端子がキャノンプラグである請求項１から請求項４のいずれか１項に記載の出力端子付き電動機。
【発明の詳細な説明】
【技術分野】
【０００１】
本発明は、口出し線を介して固定子巻線を出力端子に接続した出力端子付き電動機に関する。
【背景技術】
【０００２】
従来、防水用途の電動機には、キャノンプラグに代表される出力端子が一般的に用いられる。この出力端子には、口出し線を介して固定子巻線がはんだ付けによって接続され、中空スペーサを介して電動機本体にネジ固定されている。
【０００３】
一方、口出し線とキャノンプラグの各端子の接続作業を改善しながら口出し線のたるみをなくすため、スペーサを分割して口出し線を接続した後にスペーサを装着可能にしたものが提案されている（例えば、特許文献１および特許文献２参照）。
【特許文献１】特開平１０−２７１７４０号公報
【特許文献２】実開昭６０−１１９８６７号公報
【発明の開示】
【発明が解決しようとする課題】
【０００４】
解決しようとする問題点は、出力端子に接続した口出し線のたるみの防止である。従来のように口出し線と出力端子の接続作業を改善するためスペーサを軸方向に分割する方法では、ネジ固定による圧力が分割面に作用しないため、板状のパッキンが使用できなかった。
【０００５】
従来の分割構造において防水性を確保するには、分割面に液状のシリコンなどを使用する必要があり、分割面からはみ出たシリコンを拭き取らなければならず、作業性が悪かった。
【０００６】
本発明は上記従来の課題を解決するものであり、口出し線と出力端子の接続作業を改善して口出し線のたるみを防止しながら、口出し部の防水性能を確保できる出力端子付き電動機を提供することを目的とする。
【課題を解決するための手段】
【０００７】
上記課題を解決するために本発明は、口出し線を介して固定子巻線を接続した出力端子を電動機本体にネジ固定する電動機において、外側にツバ部を有する防水構造の出力端子と、前記ツバ部と電動機本体間の隙間を確保する中空のスペーサとを備え、外壁を斜めに２つに分割した前記スペーサを介して前記出力端子を電動機本体にネジ固定することを特徴とする。
【０００８】
また、前記スペーサの分割は、一方を１８０°回転させることで、外壁の高さが低くなり、口出し線と出力端子との接続を容易にする出力端子付き電動機である。
【０００９】
さらに、前記出力端子のツバ部とスペーサ間、スペーサの分割面、スペーサと電動機間にパッキンを設けた出力端子付き電動機である。
【発明の効果】
【００１０】
本発明の出力端子付き電動機によれば、スペーサの外壁を斜めに分割し、かつスペーサの一方を１８０°回転させることにより、スペーサ外壁の高さが低くなり、出力端子と口出し線の接続作業を容易化できる。
【００１１】
また、出力端子を電動機本体にネジ固定する締付力で、板状のパッキンを押圧できるため、分割スペーサを用いても防水機能を確保することができる。
【００１２】
したがって、口出し線と出力端子の接続作業を改善して口出し線のたるみを防止しながら、口出し部の防水性能を確保できる。
【発明を実施するための最良の形態】
【００１３】
口出し線を介して固定子巻線を接続した出力端子を電動機本体にネジ固定する電動機において、外側にツバ部を有する防水構造の出力端子と、前記ツバ部と電動機本体間の隙間を確保する中空のスペーサとを備え、前記スペーサは、一方を１８０°回転させることで、外壁の高さが低くなるように２分割されて口出し線と出力端子との接続作業を容易化し、前記出力端子のツバ部とスペーサ間、スペーサの分割面、スペーサと電動機間にパッキンを設け、前記スペーサを介して前記出力端子を電動機本体にネジ固定する。
【実施例１】
【００１４】
本発明の基本構成について図を用いて説明する。図１において、１は出力端子であるキャノンプラグ、２は口出し線、３は上下斜めに２分割した中空のスペーサ、４はパッキン、５は固定ボルト、６は電動機本体の外周面である。
【００１５】
キャノンプラグ１は、方形のツバ部１ａに４つの取付孔１ｂと、出力側端子を囲むように壁部に締結用のネジを備えており、相手側のキャノンプラグをネジ締め装着することで防水性を確保する。
【００１６】
キャノンプラグ１の反対側端子には、固定子巻線に接続された口出し線２を接続するが、口出し線２のたるみを防止しながら、キャノンプラグ１の取付スペースを最小にするには、口出し線２と端子の結線作業が可能な範囲内で、口出し線２の長さを最小にする必要がある。
【００１７】
本発明の特徴は、スペーサ３を上下斜めに２分割した点である。そして、斜めに分割したスペーサ３の中空部に口出し線２を通して、上側のスペーサを１８０°回転させる。これにより、外壁の高さが低くなるため、口出し線２とキャノンプラグ１の結線作業が容易になる（図２参照）。
【００１８】
以下、結線作業の一例について説明する。上下斜めに分割したスペーサ３を、上側スペーサ３ａと下側スペーサ３ｂで示す。口出し線２が長すぎると、端子接続した後にキャノンプラグ１を電動機本体６に固定したとき、スペーサ３内部で口出し線２がたるみ、スペーサ３の内壁と接触する。このため、口出し線２をスペーサ３の全高さとほぼ同じ長さで切断する。
【００１９】
結線作業の前に、図２に示すように上側スペーサ３ａを１８０°回転させることで、スペーサ３の高さが低くなり、口出し線２の長さをスペーサ３の高さと同程度の長さであっても、口出し線２がスペーサ３から飛び出し、キャノンプラグ１の端子とのはんだ付け作業をスペーサ３の外側で実施できる。
【００２０】
キャノンプラグ１と口出し線２をはんだ接続したあと、上側スペーサ３ａを１８０°反転させる。スペーサ３ａ、スペーサ３ｂにはキャノンプラグのツバ部１ａに設けた取付孔１ｂと同ピッチで固定ボルト５のネジ部が貫通するボルト孔３ｃを四隅に設けており、ボルト孔３ｃに固定ボルト５を通して電動機本体６にネジ固定する。
【００２１】
また、防水機能を確実にするため、キャノンプラグ１と上側スペーサ３ａとの間、上側スペーサ３ａと下側スペーサ３ｂとの間、下側スペーサ３ｂと電動機本体との間には、それぞれパッキン４（４ａ、４ｂ、４ｃ）をあらかじめ挿入しておく。各々のパッキンの四隅には固定ボルト５のネジ部が貫通する孔部４ｄを設けている。
【００２２】
キャノンプラグ１を電動機本体６にネジ固定すると、このネジ締付力が３つのパッキン４に作用するため、パッキン４は、キャノンプラグ１、スペーサ３、電動機本体６のそれぞれに密着して防水機能を確保できる。
【００２３】
なお、出力端子はキャノンプラグに限定するものではなく、同様の構成をした防水型の出力端子（例えば、日本航空電子株式会社のＪＮ１，ＪＮ２シリーズなど）でも実施することができる。また、結線方法は、はんだ付けに限定するものではなく、接続ピンによる嵌合でも実施することができる。
【００２４】
さらに、水平面で使用するパッキン４の少なくとも一つを、板状パッキンから液状シリコンに替えてもよく、併用してもよい。
【図面の簡単な説明】
【００２５】
【図１】本発明の実施例１における要部の説明図
【図２】本発明の実施例１における結線作業の説明図
【符号の説明】
【００２６】
１  出力端子（キャノンプラグ）
１ａ  ツバ部
１ｂ  取付孔
２  口出し線
３  スペーサ
３ａ  上側スペーサ
３ｂ  下側スペーサ
３ｃ  ボルト孔
４ａ，４ｂ，４ｃ  パッキン
４ｄ  孔部
５  固定ボルト
６  電動機本体
【図１】
2008154310.tif 000003
【図２】
2008154310.tif 000004